(57)【要約】【課題】動画コンテンツを表示する媒体への影響を抑制すること。【解決手段】本願に係る配信装置は、第１配信部と、受信部と、第２配信部とを備える。第１配信部は、動画に係る第１のコンテンツのうち一部分のみを含むコンテンツである第２のコンテンツを端末装置に配信する。受信部は、第１配信部によって配信された第２のコンテンツを繰り返し再生して表示する端末装置から、端末装置において第２のコンテンツが選択されたことを契機として所定の配信要求を受信する。第２配信部は、受信部によって受信された所定の配信要求に基づいて、第１のコンテンツを端末装置に配信する。【選択図】図１
2018022298.tif 000002
【特許請求の範囲】
【請求項１】
動画に係る第１のコンテンツのうち一部分のみを含むコンテンツである第２のコンテンツを端末装置に配信する第１配信部と、
前記第１配信部によって配信された第２のコンテンツを繰り返し再生して表示する端末装置から、当該端末装置において当該第２のコンテンツが選択されたことを契機として所定の配信要求を受信する受信部と、
前記受信部によって受信された所定の配信要求に基づいて、前記第１のコンテンツを端末装置に配信する第２配信部と、
を備えることを特徴とする配信装置。
【請求項２】
前記第１配信部は、
前記第２のコンテンツとして、前記第１のコンテンツに含まれる所定の画像において、画像内の特定の一部分のみが動画として表示されるコンテンツである部分動画コンテンツを配信する、
ことを特徴とする請求項１に記載の配信装置。
【請求項３】
前記第１のコンテンツに対応するコンテンツとして、当該第１のコンテンツとともに前記部分動画コンテンツの入稿を受け付ける入稿受付部、
をさらに備え、
前記第１配信部は、
前記入稿受付部によって受け付けられた前記部分動画コンテンツを、前記第２のコンテンツとして配信する、
ことを特徴とする請求項２に記載の配信装置。
【請求項４】
前記第１のコンテンツに基づいて、前記部分動画コンテンツを生成する生成部、
をさらに備え、
前記第１配信部は、
前記生成部によって生成された前記部分動画コンテンツを、前記第２のコンテンツとして配信する、
ことを特徴とする請求項２又は３に記載の配信装置。
【請求項５】
前記生成部は、
前記第１のコンテンツの提供主から指定される対象、又は、前記第１のコンテンツの宣伝対象に基づいて、前記所定の画像内の一部分を特定して、新たに前記部分動画コンテンツを生成する、
ことを特徴とする請求項４に記載の配信装置。
【請求項６】
前記生成部は、
端末装置に配信された他の部分動画コンテンツのうち、当該端末装置で選択される確率の高い他の部分動画コンテンツにおける特定の一部分を示す対象に基づいて、前記所定の画像内の一部分を特定して、新たに前記部分動画コンテンツを生成する、
ことを特徴とする請求項４又は５に記載の配信装置。
【請求項７】
前記生成部は、
前記第１のコンテンツの先頭部分の画像の中から、動画として表示される一部分を特定し、特定した一部分以外の箇所は先頭部分の画像を用いるとともに、特定した一部分については先頭部分から所定数の画像をつなぎあわせることにより、新たに部分動画コンテンツを生成する、
ことを特徴とする請求項４〜６のいずれか一つに記載の配信装置。
【請求項８】
前記第１配信部は、
前記第２のコンテンツとともに制御情報を端末装置に配信し、
前記制御情報は、
前記端末装置によって表示されている前記第２のコンテンツを選択する操作が検知された場合に、前記配信装置に対して、前記第１のコンテンツの配信を要求する要求手順と、
前記要求手順による要求に応答した前記配信装置から配信される前記第１のコンテンツを、前記第２のコンテンツに替えて表示する表示制御手順と、
を前記端末装置に実行させることを特徴とする請求項１〜７のいずれか一つに記載の配信装置。
【請求項９】
前記表示制御手順は、
前記第２のコンテンツに替えて前記第１のコンテンツを表示する際には、当該第２のコンテンツを選択する操作が検知された時点における当該第２のコンテンツの再生位置に対応する再生位置から、当該第１のコンテンツを再生するよう制御する、
ことを特徴とする請求項８に記載の配信装置。
【請求項１０】
コンピュータが実行する配信方法であって、
動画に係る第１のコンテンツのうち一部分のみを含むコンテンツである第２のコンテンツを端末装置に配信する第１配信工程と、
前記第１配信工程によって配信された第２のコンテンツを繰り返し再生して表示する端末装置から、当該端末装置において当該第２のコンテンツが選択されたことを契機として所定の配信要求を受信する受信工程と、
前記受信工程によって受信された所定の配信要求に基づいて、前記第１のコンテンツを端末装置に配信する第２配信工程と、
を含んだことを特徴とする配信方法。
【請求項１１】
動画に係る第１のコンテンツのうち一部分のみを含むコンテンツである第２のコンテンツを端末装置に配信する第１配信手順と、
前記第１配信手順によって配信された第２のコンテンツを繰り返し再生して表示する端末装置から、当該端末装置において当該第２のコンテンツが選択されたことを契機として所定の配信要求を受信する受信手順と、
前記受信手順によって受信された所定の配信要求に基づいて、前記第１のコンテンツを端末装置に配信する第２配信手順と、
をコンピュータに実行させることを特徴とする配信プログラム。
【請求項１２】
動画に係る第１のコンテンツと、当該第１のコンテンツの一部分のみを含むコンテンツである第２のコンテンツとを受け付ける受付手順と、
前記受付手順によって受け付けられた第２のコンテンツを繰り返し再生して表示するよう制御する表示制御手順と、
前記表示制御手順によって表示されている第２のコンテンツに対する選択操作を検知する検知手順と、を端末装置に実行させ、
前記表示制御手順は、
前記検知手順によって第２のコンテンツに対する選択操作が検知された場合に、当該第２のコンテンツに替えて、前記第１のコンテンツが再生されるよう制御する、
ことを特徴とする情報表示プログラム。
【発明の詳細な説明】
【技術分野】
【０００１】
本発明は、配信装置、配信方法、配信プログラム及び情報表示プログラムに関する。
【背景技術】
【０００２】
近年、インターネットを介した広告配信が盛んに行われている。例えば、ウェブページの所定の位置に企業や商品等に関する広告コンテンツを表示することが行われている。また、通信回線の発達に伴って容量の大きいファイルの送受信が可能になるにつれ、広告コンテンツとして動画コンテンツが利用される機会も増加している。動画コンテンツは、静止画コンテンツやテキストデータと比較してユーザに強い印象を与えることができるため、高い訴求効果が期待される。
【０００３】
このような動画に係る広告コンテンツの表示に関して、ウェブページ上の広告枠がウェブブラウザ画面に表示中の可視領域に入るタイミングを検出することにより、ユーザからの視認性に基づく適切なタイミングで広告コンテンツの表示や動画などの動きを開始する技術が知られている。
【先行技術文献】
【特許文献】
【０００４】
【特許文献１】特開２０１１−１２８２０４号公報
【発明の概要】
【発明が解決しようとする課題】
【０００５】
しかしながら、上記の従来技術では、動画コンテンツを表示する媒体への影響を抑制することができるとは限らない。例えば、上記の従来技術では、ウェブページ等の媒体が画面上に表示された時点や広告枠が可視領域に入った時点で、自動的に動画の再生が開始される場合がある。このため、媒体では、動画が再生されることによって全体の表示の調和が乱れたり、ユーザが望まない動画が再生されたりする場合がある。これにより、ユーザに嫌悪感を与えたり、ユーザが媒体から離脱したりするといったおそれがある。
【０００６】
本願は、上記に鑑みてなされたものであって、動画コンテンツを表示する媒体への影響を抑制することができる配信装置、配信方法、配信プログラム及び情報表示プログラムを提供することを目的とする。
【課題を解決するための手段】
【０００７】
本願に係る配信装置は、動画に係る第１のコンテンツのうち一部分のみを含むコンテンツである第２のコンテンツを端末装置に配信する第１配信部と、前記第１配信部によって配信された第２のコンテンツを繰り返し再生して表示する端末装置から、当該端末装置において当該第２のコンテンツが選択されたことを契機として所定の配信要求を受信する受信部と、前記受信部によって受信された所定の配信要求に基づいて、前記第１のコンテンツを端末装置に配信する第２配信部と、を備えることを特徴とする。
【発明の効果】
【０００８】
実施形態の一態様によれば、動画コンテンツを表示する媒体への影響を抑制することができるという効果を奏する。
【図面の簡単な説明】
【０００９】
【図１】図１は、実施形態に係る配信処理の一例を示す図である。
【図２】図２は、実施形態に係る配信システムの構成例を示す図である。
【図３】図３は、実施形態に係る広告配信サーバの構成例を示す図である。
【図４】図４は、実施形態に係る広告データベースの一例を示す図である。
【図５】図５は、実施形態に係るコンテンツ配信サーバの構成例を示す図である。
【図６】図６は、実施形態に係る端末装置の構成例を示す図である。
【図７】図７は、実施形態に係る配信システムによる配信処理手順を示すシーケンス図である。
【図８】図８は、実施形態に係る端末装置による処理手順を示すフローチャートである。
【図９】図９は、変形例に係る広告配信サーバの構成例を示す図である。
【図１０】図１０は、変形例に係る生成処理の一例を示す図である。
【図１１】図１１は、変形例に係る広告配信サーバによる生成処理手順を示すフローチャートである。
【図１２】図１２は、広告配信サーバの機能を実現するコンピュータの一例を示すハードウェア構成図である。
【発明を実施するための形態】
【００１０】
以下に、本願に係る配信装置、配信方法、配信プログラム及び情報表示プログラムを実施するための形態（以下、「実施形態」と呼ぶ）について図面を参照しつつ詳細に説明する。なお、この実施形態により本願に係る配信装置、配信方法、配信プログラム及び情報表示プログラムが限定されるものではない。また、以下の各実施形態において同一の部位には同一の符号を付し、重複する説明は省略される。
【００１１】
〔１．配信処理の一例〕
まず、図１を用いて、実施形態に係る配信処理の一例について説明する。図１は、実施形態に係る配信処理の一例を示す図である。図１では、本願に係る配信装置に対応する広告配信サーバ２０から広告コンテンツの配信を受け付けた端末装置１００によって、ウェブページＷ１０上に広告コンテンツの表示が行われる例について説明する。
【００１２】
図１に示した端末装置１００は、ユーザによって利用される情報処理端末である。端末装置１００は、ウェブページＷ１０や、ウェブページＷ１０上に表示される広告コンテンツ等のコンテンツを受信し、受信したコンテンツを表示する処理を行う。
【００１３】
広告配信サーバ２０は、広告コンテンツを配信するサーバ装置である。広告配信サーバ２０は、端末装置１００から送信される広告配信要求（リクエスト）に従い、端末装置１００に広告コンテンツを配信する。
【００１４】
実施形態において、広告配信サーバ２０は、広告コンテンツとして動画コンテンツを配信する。動画コンテンツは、例えば数十秒や数分の動画で構成されるコンテンツであり、例えば、広告主が提供する商品の宣伝を目的とする内容を含むコンテンツである。
【００１５】
ここで、端末装置１００で表示される動画コンテンツは、ユーザからの選択操作によって動画が再生されるよう制御されるものとする。すなわち、実施形態に係る動画コンテンツは、ウェブページＷ１０に表示された場合であっても、初期状態では動画が再生されず、ユーザからの選択操作（例えばクリック操作）等、ユーザが動画を再生させる操作を行った場合に動画が再生される。これにより、広告配信サーバ２０は、ユーザが意図しない状況で動画が再生されることでウェブページＷ１０における全体の表示の調和が乱れたり、ユーザが望まない動画が再生されたりするといった事態を防ぐことができる。
【００１６】
しかしながら、端末装置１００においてユーザからのクリックを契機として動画を再生させる場合、初期表示の状態では、動画コンテンツは、単に静止した画像として表示されることになる。このため、ウェブページＷ１０上に動画コンテンツが存在することをユーザから気付かれない可能性がある。この場合、動画が再生されないことにより、動画コンテンツが有する広告効果を発揮できないおそれがある。
【００１７】
そこで、本願に係る広告配信サーバ２０は、広告コンテンツである動画コンテンツ（以下の説明において、「第１のコンテンツ」と表記する場合がある）の配信に先立って、第１のコンテンツの一部分のみを含むコンテンツ（以下の説明において、「第２のコンテンツ」と表記する場合がある）を、まず端末装置１００に配信する。例えば、第２のコンテンツは、第１のコンテンツが含む所定の画像（例えば、動画像を構成するフレームの１つ）のうち、当該画像を静止画像として表示するとともに、当該画像内の特定の一部分を短時間（例えば数秒）の動画として表示するようなコンテンツ（一般にシネマグラフ等と呼ばれる。以下の説明において、「部分動画コンテンツ」と表記する場合がある）である。例えば、端末装置１００は、数秒の長さを持つ部分動画コンテンツを、繰り返し再生させるよう広告表示領域に表示する。なお、この場合の再生とは、所定の静止画像内において一部の領域のみに変化が生じるような複数の静止画像を連続的に表示することを含む。
【００１８】
部分動画コンテンツは、表示の大半は静止画のような一枚の画像であるため、例えウェブページＷ１０に表示されたとしても、動画コンテンツほど目立つ表示になりにくく、ウェブページＷ１０全体の表示の調和を乱さない。その上で、部分動画コンテンツは、静止画のうち特定の一部分のみは動画のように繰り返し再生されるという特徴を有するため、単なる静止画に比べて、ユーザの興味を惹きやすいコンテンツといえる。
【００１９】
そして、広告配信サーバ２０は、端末装置１００において、ユーザから部分動画コンテンツがクリックされた場合に、部分動画コンテンツに対応する第１のコンテンツを端末装置１００に配信する。これにより、端末装置１００において、本来、広告主が再生を所望していた第１のコンテンツ（動画コンテンツ）が表示され、再生される。このように、広告配信サーバ２０は、動画コンテンツに先立って、第２のコンテンツの一例である部分動画コンテンツを配信することによって、ウェブページＷ１０に与える影響を抑制しつつ、かつ、動画コンテンツがウェブページＷ１０上に存在することをユーザに伝えることができる。そして、広告配信サーバ２０は、部分動画コンテンツがクリックされた場合に、本来の動画コンテンツを配信することで、動画を視聴することを所望するユーザの要求に応答することができる。以下、図１を用いて、広告配信サーバ２０が行うコンテンツの配信処理について、流れに沿って説明する。
【００２０】
図１の例では、端末装置１００がウェブページＷ１０を表示した初期状態を示す。この場合、端末装置１００は、ウェブページＷ１０に含まれる広告配信要求を広告配信サーバ２０に送信することで、一部のみに動きのある広告コンテンツである広告コンテンツＣ１０の配信を受け付ける。すなわち、端末装置１００は、一部のみに動きのある広告コンテンツＣ１０を含むウェブページＷ１０を表示する（ステップＳ１１）。
【００２１】
広告コンテンツＣ１０は、上記した部分動画コンテンツに該当する。図１に示す例では、広告コンテンツＣ１０は、女性を被写体とした画像であるが、女性が身に着けているイヤリング５０についてのみ動きのある動画のように表示される。例えば、広告コンテンツＣ１０は、ＧＩＦファイル等で構成され、イヤリング５０の周辺の一部分のみが連続して動いているように見えるような複数の画像を含む。これにより、広告コンテンツＣ１０は、画像の一部分のみが動くアニメーションのように端末装置１００に表示される。
【００２２】
続いて、端末装置１００は、ユーザによって操作されるポインタ４０によって、広告コンテンツＣ１０がクリックされたことを検知する。端末装置１００は、クリックを契機として、広告配信サーバ２０にリクエストを送信する（ステップＳ１２）。
【００２３】
広告配信サーバ２０は、保持する広告データベースから、広告コンテンツＣ１０に対応する広告コンテンツであって、本来、広告主が提供を所望する動画コンテンツを抽出する（ステップＳ１３）。図１の例では、広告配信サーバ２０は、広告コンテンツＣ１０に対応するコンテンツとして、広告コンテンツＣ１１を抽出する。広告コンテンツＣ１１は、例えば、広告コンテンツＣ１０と同じ広告主によって提供されるコンテンツであって、所定長の再生時間を有する動画像によって構成されるコンテンツである。
【００２４】
広告配信サーバ２０は、リクエストに応答して、端末装置１００に広告コンテンツＣ１１を配信する（ステップＳ１４）。端末装置１００は、ウェブページＷ１０上に、広告コンテンツＣ１０に替えて広告コンテンツＣ１１を表示し、広告コンテンツＣ１１の動画を再生させる処理を行う（ステップＳ１５）。広告コンテンツＣ１１は、広告コンテンツＣ１０として表示されていた画像を１つのフレームに含む動画コンテンツであり、例えば、広告コンテンツＣ１０として表示されていた画像に対応するフレームから続けて動画が滑らかにつながるように、端末装置１００で再生される。
【００２５】
このように、実施形態に係る広告配信サーバ２０は、動画に係る第１のコンテンツのうち一部分のみを含むコンテンツである第２のコンテンツを端末装置１００に配信する。続けて、広告配信サーバ２０は、配信された第２のコンテンツを繰り返し再生して表示する端末装置１００から、端末装置１００において第２のコンテンツが選択（クリック）されたことを契機として、所定の配信要求（リクエスト）を受信する。そして、広告配信サーバ２０は、受信されたリクエストに基づいて、第１のコンテンツを端末装置１００に配信する。
【００２６】
これにより、広告配信サーバ２０は、動画に係るコンテンツを自動的にウェブページＷ１０上で再生させるのではなく、ユーザの選択操作を契機として動画を再生させるので、ユーザに嫌悪感を与えることなく動画コンテンツをユーザに提供することができる。また、実施形態に係る配信処理によれば、視聴する意思のないユーザに対しては動画コンテンツが表示されないため、広告主にとって、無駄な課金（広告料金の発生）を抑えることができる。また、広告配信サーバ２０は、自動的に動画を再生させる代わりに、まず動画コンテンツの一部分を含むコンテンツを端末装置１００に配信する。例えば、広告配信サーバ２０は、部分動画コンテンツを配信する。このような一部に動きのあるコンテンツは、ユーザの興味を惹く効果があるとともに、表示される大半は静止画であるため、ウェブページＷ１０の表示を汚さないという利点がある。すなわち、広告配信サーバ２０は、ユーザの興味を惹くコンテンツを表示させつつも、動画コンテンツを表示する媒体への影響を抑制することができる。
【００２７】
また、一般に動画コンテンツは、静止画コンテンツ等と比べてファイルサイズが大きいため、通信負荷が大きくなる。特に、端末装置１００に所定の通信上限量が定められている場合には、ユーザにとって、動画コンテンツの配信及び表示によって通信量を多く使用されることは大きな負担となる。実施形態に係る配信処理によれば、まずは動画コンテンツの一部分を含むコンテンツを配信するのみであり、このようなコンテンツはＧＩＦファイルなど容量の小さなファイルで構成されるため、通信量の発生を抑えることができる。
【００２８】
なお、上記では説明を省略したが、端末装置１００は、ウェブページＷ１０又は広告コンテンツＣ１０の配信と同時に、上記の表示処理を端末装置１００に実行させる制御情報を受け付けてもよい。そして、端末装置１００は、制御情報に従って上記の表示処理を行ってもよい。
【００２９】
〔２．配信システムの構成〕
続いて、図２を用いて、実施形態に係る配信システム１の構成について説明する。図２は、実施形態に係る配信システム１の構成例を示す図である。図２に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図２に示す配信システム１には、複数台の端末装置１００や、複数台の広告主端末１０や、複数台の広告配信サーバ２０や、複数台のコンテンツ配信サーバ３０が含まれてもよい。
【００３０】
端末装置１００は、ウェブページを閲覧するユーザによって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ、ウェアラブルデバイス等である。端末装置１００は、ユーザによる操作にしたがって、コンテンツ配信サーバ３０からウェブページを取得し、取得したウェブページを表示する。また、端末装置１００は、ウェブページに広告取得命令が含まれる場合には、広告配信サーバ２０から広告コンテンツを取得し、取得した広告コンテンツをウェブページとともに表示する。
【００３１】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、所定の広告コンテンツを広告配信サーバ２０に入稿する。例えば、広告主端末１０は、広告コンテンツとして、動画像によって構成される動画コンテンツを入稿する。また、広告主端末１０は、動画コンテンツに先立って配信されるコンテンツであって、動画コンテンツの一部分を含むコンテンツを動画コンテンツとともに入稿する。また、広告主端末１０が入稿する広告コンテンツには、広告コンテンツに対応するコンテンツ（例えば、広告主が提供するランディングページ）を取得するためのＵＲＬ（Uniform  Resource  Locator）などの情報が含まれてもよい。
【００３２】
なお、広告主は、広告コンテンツの入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００３３】
広告配信サーバ２０は、本願に係る配信装置に対応するサーバ装置であって、広告主端末１０から入稿された広告コンテンツを配信するサーバ装置である。例えば、広告配信サーバ２０は、端末装置１００からアクセスを受け付ける（リクエストを受信する）と、端末装置１００の場所や利用者の属性等から広告のマッチングを行い、マッチングの結果、配信対象となる広告コンテンツを抽出する。
【００３４】
そして、広告配信サーバ２０は、抽出された広告コンテンツについて、動画に係るコンテンツである第１のコンテンツに先立って、第１のコンテンツの一部分を含むコンテンツである第２のコンテンツを配信する。また、広告配信サーバ２０は、第２のコンテンツがクリックされたことを契機として、さらに端末装置１００からリクエストを受信した場合には、第１のコンテンツを配信する。また、広告配信サーバ２０は、配信対象となる広告コンテンツの表示態様を指示する制御情報を広告コンテンツとともに端末装置１００に配信してもよい。制御情報は、例えば、ＪａｖａＳｃｒｉｐｔ（登録商標）やＣＳＳ（Cascading  Style  Sheets）等のスクリプト言語により記述される。
【００３５】
コンテンツ配信サーバ３０は、端末装置１００にウェブページ等のコンテンツを配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報を含むウェブページを端末装置１００に配信する。
【００３６】
コンテンツ配信サーバ３０によって配信されるウェブページは、例えば、ＨＴＭＬ（Hyper  Text  Markup  Language）により記述されたＨＴＭＬファイルや、ＸＭＬ（Extensible  Markup  Language）により記述されたＸＭＬファイル等により形成される。また、コンテンツ配信サーバ３０によって配信されるウェブページには、広告取得命令が含まれる。例えば、ウェブページを形成するＨＴＭＬファイル等には、広告配信サーバ２０のＵＲＬ等が広告取得命令として記述される。この場合、端末装置１００は、ＨＴＭＬファイル等に記述されているＵＲＬにアクセスすることで、広告配信サーバ２０から広告コンテンツを取得する。すなわち、コンテンツ配信サーバ３０が配信するコンテンツは、広告コンテンツを表示する媒体であるともいえる。
【００３７】
なお、コンテンツ配信サーバ３０から端末装置１００に配信される各種データは、実際にはウェブページを形成するＨＴＭＬファイルや画像等であるが、以下では、コンテンツ配信サーバ３０から端末装置１００に配信される各種データを含めて「コンテンツ」と表記する場合がある。
【００３８】
〔３．広告配信サーバの構成〕
次に、図３を用いて、実施形態に係る広告配信サーバ２０の構成について説明する。図３は、実施形態に係る広告配信サーバ２０の構成例を示す図である。図３に示すように、広告配信サーバ２０は、通信部２１と、記憶部２２と、制御部２３とを有する。
【００３９】
（通信部２１について）
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００４０】
（記憶部２２について）
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００４１】
（広告データベース２４について）
ここで、図４に、広告データベース２４に格納された情報の一例を示す。図４は、実施形態に係る広告データベース２４に格納された情報の一例を示す図である。図４に示した例では、広告データベース２４は、「広告主ＩＤ」、「広告コンテンツ」、「インプレッション数」、「インプレッション保証数」、「対価」といった項目を有する。
【００４２】
「広告主ＩＤ」は、広告主または広告主端末１０を識別するための識別情報を示す。「広告コンテンツ」は、広告主端末１０から入稿されたコンテンツ、及び実際に端末装置１００に配信されるコンテンツを示す。例えば、広告コンテンツは、広告主がユーザに配信することを所望する動画コンテンツや、動画コンテンツの一部分を含むコンテンツ等である。これらのコンテンツは、互いに対応付けられて広告データベース２４に記憶される。例えば、図１に示した広告コンテンツＣ１０と広告コンテンツＣ１１とは、互いに対応付けられて広告データベース２４に記憶される。
【００４３】
なお、図４に示した例では、「広告コンテンツ」に「Ｃ１０」や「Ｃ１１」等といった概念的な情報が格納される例を示したが、実際には、動画像のデータや、静止画のデータや、各コンテンツが所在するＵＲＬ、または、これらの格納場所を示すファイルパス名などが格納される。
【００４４】
なお、広告データベース２４には、広告コンテンツＣ１０や広告コンテンツＣ１１の配信順を指示するための指示情報等が登録されてもよい。例えば、指示情報には、広告主から指定される情報であって、広告コンテンツＣ１１に先立って配信するコンテンツが広告コンテンツＣ１０であること等の指示が含まれる。指示情報は、例えば、広告主が広告コンテンツを入稿する際に、広告主や広告配信サーバ２０の管理者によって登録される。
【００４５】
「インプレッション数」は、広告コンテンツが表示された回数を示す。また、「インプレッション保証数」は、広告主がインプレッションさせることを所望する数として広告配信サーバ２０に登録する広告コンテンツの表示回数を示す。すなわち、広告配信サーバ２０は、インプレッション保証数を達成するまで、広告コンテンツの配信を繰り返し行う。「対価」は、インプレッション発生ごとに広告主に課金される額、すなわち広告料金を示す。
【００４６】
なお、実施形態において、インプレッションは、第２のコンテンツが配信され表示された場合ではなく、第１のコンテンツが配信され、動画が再生された場合をもって発生するようにしてもよい。すなわち、インプレッションは、第２のコンテンツがクリックされることにより、本来、広告主が配信を所望する動画コンテンツである第１のコンテンツが再生された場合に発生する。
【００４７】
すなわち、図４では、広告主ＩＤ「Ｂ１０」によって識別される広告主が、広告コンテンツＣ１０及び広告コンテンツＣ１１を端末装置１００に配信させるコンテンツとして登録された例や、広告主ＩＤ「Ｂ２０」によって識別される広告主が、広告コンテンツＣ２０及び広告コンテンツＣ２１を端末装置１００に配信させるコンテンツとして登録された例を示している。また、広告コンテンツ「Ｃ１０及びＣ１１」のインプレッション数が「５０００」であり、インプレッション保証数が「１５０００」であり、インプレッションごとの対価（課金額）が「ａａａ」である例を示している。
【００４８】
また、図４での図示は省略するが、広告データベース２４には、広告コンテンツとユーザとのマッチングを行うための情報や、各広告コンテンツがユーザから選択された回数や、広告コンテンツごとのＣＴＲ（Click  Through  Rate）やｅＣＰＭ（effective  Cost  Per  Mille）等といった広告効果を示す指標値等の情報が記憶されてもよい。
【００４９】
また、広告主が入稿したコンテンツと、実際に端末装置１００に配信されるコンテンツとは、厳密に同一であることを要しない。例えば、広告配信サーバ２０は、広告主によって入稿された広告コンテンツ（動画コンテンツ）について、配信に適するような形式に変換したコンテンツを、実際に端末装置１００に配信されるコンテンツとしてもよい。
【００５０】
（制御部２３について）
図３に戻って、説明を続ける。制御部２３は、コントローラ（controller）であり、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、コントローラであり、例えば、ＡＳＩＣ（Application  Specific  Integrated  Circuit）やＦＰＧＡ（Field  Programmable  Gate  Array）等の集積回路により実現される。
【００５１】
図３に示すように、制御部２３は、入稿受付部２３１と、要求受付部２３２と、広告選択部２３３と、第１配信部２３４と、受信部２３５と、第２配信部２３６とを有し、以下に説明する情報処理の機能や作用を実現または実行する。なお、制御部２３の内部構成は、図３に示した構成に限られず、後述する情報処理を行う構成であれば他の構成であってもよい。また、制御部２３が有する各処理部の接続関係は、図３に示した接続関係に限られず、他の接続関係であってもよい。
【００５２】
（入稿受付部２３１について）
入稿受付部２３１は、広告主端末１０から広告コンテンツの入稿を受け付ける。具体的には、入稿受付部２３１は、インプレッション数や入札価格等の指定とともに、動画に係る広告コンテンツや、動画に係る広告コンテンツの一部分を含むコンテンツの入稿を受け付ける。例えば、入稿受付部２３１は、動画に係る広告コンテンツの一部分を含むコンテンツとして、部分動画コンテンツの入稿を受け付ける。
【００５３】
なお、入稿受付部２３１は、広告コンテンツＣ１０の入稿の際、広告コンテンツＣ１０に対して設定される各ランディングページ（landing  page）等の所在を示すＵＲＬを広告主端末１０から受信してもよい。そして、入稿受付部２３１は、受信したランディングページ等の所在を示すＵＲＬを、広告コンテンツＣ１０とともに広告データベース２４に登録する。
【００５４】
（要求受付部２３２について）
要求受付部２３２は、端末装置１００から広告コンテンツの取得要求を受け付ける。例えば、要求受付部２３２は、ウェブページを取得した端末装置１００から、当該ウェブページの広告表示領域で表示する広告コンテンツの取得要求として、ＨＴＴＰリクエストを受け付ける。
【００５５】
（広告選択部２３３について）
広告選択部２３３は、要求受付部２３２によって広告コンテンツの取得要求が受け付けられた場合に、配信候補の広告コンテンツを広告データベース２４から選択する。例えば、広告選択部２３３は、端末装置１００の位置や利用者の属性に基づいて、広告データベース２４に登録されている広告コンテンツから、配信対象となる広告コンテンツのマッチングを行う。かかるマッチングにおいては、入札価格またはＣＴＲが高い広告コンテンツや、入札価格およびＣＴＲの双方が高い広告コンテンツが優先的に選択されてもよい。そして、広告選択部２３３は、配信対象として選択された広告コンテンツを第１配信部２３４に出力する。
【００５６】
なお、広告選択部２３３は、ウェブページが検索ページである場合には、検索ページに指定された検索キーワードとマッチする広告コンテンツを抽出する検索連動型広告と呼ばれる広告配信手法を用いてもよい。また、広告選択部２３３は、ユーザの属性情報（サイコグラフィック属性、デモグラフィック属性等）とマッチする広告コンテンツを抽出するターゲティング配信と呼ばれる広告配信手法を用いてもよい。
【００５７】
（第１配信部２３４について）
第１配信部２３４は、動画に係る第１のコンテンツのうち一部分のみを含むコンテンツである第２のコンテンツを端末装置１００に配信する。具体的には、第１配信部２３４は、要求受付部２３２によって受け付けられた広告配信要求に応答して広告選択部２３３が選択した広告コンテンツのうち、動画に係るコンテンツである第１のコンテンツのうち一部分のみを含むコンテンツである第２のコンテンツを端末装置１００に配信する。
【００５８】
例えば、第１配信部２３４は、第２のコンテンツとして、第１のコンテンツに含まれる所定の画像において、画像内の特定の一部分のみが動画として表示されるコンテンツである部分動画コンテンツを配信する。すなわち、第１配信部２３４は、入稿受付部２３１によって受け付けられた部分動画コンテンツを、第２のコンテンツとして配信する。また、第１配信部２３４は、第２のコンテンツとともに、上述した制御情報を端末装置１００に配信してもよい。
【００５９】
（受信部２３５について）
受信部２３５は、第１配信部２３４によって配信された第２のコンテンツを繰り返し再生して表示する端末装置１００から、端末装置１００において第２のコンテンツが選択されたことを契機として、所定の配信要求を受信する。すなわち、受信部２３５は、端末装置１００において第２のコンテンツがユーザからクリック等された場合に、端末装置１００で生成されるリクエストであって、広告配信サーバ２０に送信されるリクエストを受信する。
【００６０】
受信部２３５が受信するリクエストには、例えば、端末装置１００で表示されている第２のコンテンツを識別する情報が含まれる。受信部２３５は、受信したリクエストを第２配信部２３６に送ることにより、第２のコンテンツに対応する第１のコンテンツを特定させる。
【００６１】
（第２配信部２３６について）
第２配信部２３６は、受信部２３５によって受信された所定の配信要求に基づいて、第２のコンテンツに対応する動画に係るコンテンツである第１のコンテンツを端末装置１００に配信する。
【００６２】
〔４．コンテンツ配信サーバの構成〕
次に、図５を用いて、実施形態に係るコンテンツ配信サーバ３０の構成について説明する。図５は、実施形態に係るコンテンツ配信サーバ３０の構成例を示す図である。図５に示すように、コンテンツ配信サーバ３０は、通信部３１と、コンテンツ記憶部３２と、制御部３３とを有する。
【００６３】
通信部３１は、例えば、ＮＩＣ等によって実現される。そして、通信部３１は、ネットワークＮと有線または無線で接続され、端末装置１００や広告配信サーバ２０との間で情報の送受信を行う。
【００６４】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。なお、コンテンツ記憶部３２に記憶されるウェブページには、ウェブページ上に表示させる広告コンテンツを取得するための広告取得命令が含まれる場合がある。
【００６５】
制御部３３は、コントローラであり、例えば、ＣＰＵやＭＰＵ等によって、コンテンツ配信サーバ３０内部の記憶装置に記憶されている各種プログラムがＲＡＭを作業領域として実行されることにより実現される。また、制御部３３は、コントローラであり、例えば、ＡＳＩＣやＦＰＧＡ等の集積回路により実現される。
【００６６】
図５に示すように、制御部３３は、受付部３４と、配信部３５とを有し、以下に説明する情報処理の機能や作用を実現または実行する。なお、制御部３３の内部構成は、図５に示した構成に限られず、後述する情報処理を行う構成であれば他の構成であってもよい。また、制御部３３が有する各処理部の接続関係は、図５に示した接続関係に限られず、他の接続関係であってもよい。
【００６７】
受付部３４は、端末装置１００からウェブページの取得要求を受け付ける。例えば、受付部３４は、ウェブページの取得要求として、ＨＴＴＰリクエストを受け付ける。
【００６８】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。上記の通り、コンテンツ記憶部３２に記憶されているウェブページは、広告取得命令を含む。すなわち、端末装置１００は、取得したウェブページを表示する際に、ウェブページに含まれる広告取得命令に従い、広告配信サーバ２０に対して広告コンテンツの配信要求を送信する。
【００６９】
〔５．端末装置の構成〕
次に、図６を用いて、実施形態に係る端末装置１００の構成について説明する。図６は、実施形態に係る端末装置１００の構成例を示す図である。図６に示すように、端末装置１００は、通信部１１０と、入力部１２０と、出力部１３０と、制御部１４０とを有する。
【００７０】
通信部１１０は、例えば、ＮＩＣ等によって実現される。そして、通信部１１０は、ネットワークＮと有線又は無線で接続され、広告配信サーバ２０やコンテンツ配信サーバ３０との間で情報の送受信を行う。
【００７１】
入力部１２０は、ユーザから各種操作を受け付ける入力装置である。例えば、入力部１２０は、キーボードやマウスや操作キー等によって実現される。出力部１３０は、各種情報を表示するための表示装置である。例えば、出力部１３０は、液晶ディスプレイ等によって実現される。なお、端末装置１００にタッチパネルが採用される場合には、入力部１２０と出力部１３０とは一体化される。
【００７２】
制御部１４０は、コントローラであり、例えば、ＣＰＵやＭＰＵ等によって、端末装置１００内部の記憶装置に記憶されている各種プログラム（情報表示プログラムの一例）がＲＡＭを作業領域として実行されることにより実現される。例えば、この各種プログラムは、ウェブブラウザと呼ばれるアプリケーションプログラムに該当する。また、制御部１４０は、コントローラであり、例えば、ＡＳＩＣやＦＰＧＡ等の集積回路により実現される。
【００７３】
図６に示すように、制御部１４０は、送信部１４１と、受付部１４２と、出力制御部１４３とを有し、以下に説明する情報処理の機能や作用を実現または実行する。なお、制御部１４０の内部構成は、図６に示した構成に限られず、後述する情報処理を行う構成であれば他の構成であってもよい。また、制御部１４０が有する各処理部の接続関係は、図６に示した接続関係に限られず、他の接続関係であってもよい。
【００７４】
送信部１４１は、入力部１２０を介して受け付けたユーザ操作に従って、コンテンツ配信サーバ３０にウェブページの取得要求を送信する。また、送信部１４１は、受付部１４２によって受け付けられたウェブページに広告取得命令が含まれる場合に、広告コンテンツの取得要求を広告配信サーバ２０に送信する。また、送信部１４１は、配信された広告コンテンツ（第２のコンテンツ）をユーザがクリックしたことを契機として、後述する要求部１４６から送られる第１のコンテンツ（動画コンテンツ）の要求命令に基づき、第１のコンテンツの取得要求を広告配信サーバ２０に送信する。
【００７５】
受付部１４２は、ウェブページと広告コンテンツとを受け付ける。具体的には、受付部１４２は、送信部１４１によって送信されたウェブページの取得要求に応答したコンテンツ配信サーバ３０からウェブページを受け付ける。このとき、受付部１４２は、ウェブページに広告取得命令が含まれる場合には、広告コンテンツの取得要求を送信するよう送信部１４１に指示する。そして、受付部１４２は、送信部１４１によって送信された広告コンテンツの取得要求に応答した広告配信サーバ２０から広告コンテンツを受け付ける。このとき、受付部１４２は、広告コンテンツとともに、広告コンテンツの表示を制御する制御情報を受け付けてもよい。
【００７６】
出力制御部１４３は、受信したウェブページおよび広告コンテンツの出力部１３０への表示を制御し、上述した表示処理を実行する。出力制御部１４３が実行する一部の処理は、広告コンテンツとともに配信される制御情報を実行することにより実現される。例えば、出力制御部１４３は、制御部１４０が、広告コンテンツとともに配信される制御情報を実行することで、図６に示すように、表示制御部１４４、検知部１４５、要求部１４６として動作し、表示処理を実行する。表示制御部１４４、検知部１４５、要求部１４６は、例えば、ＣＰＵやＭＰＵ等によって、制御情報がＲＡＭを作業領域として実行されることにより実現される。すなわち、表示制御部１４４が実行する処理は、広告コンテンツに含まれる制御情報が実行させる表示制御手順により実現され、検知部１４５が実行する処理は、広告コンテンツに含まれる制御情報が実行させる検知手順により実現され、要求部１４６が実行する処理は、広告コンテンツに含まれる制御情報が実行させる要求手順により実現される。
【００７７】
表示制御部１４４は、受付部１４２によって受け付けられた広告コンテンツに含まれる制御情報に従って、所定のコンテンツを出力部１３０に表示するよう制御する。具体的には、実施形態に係る表示制御部１４４は、広告取得命令に応じて、広告配信サーバ２０から部分動画コンテンツが配信された場合には、部分動画コンテンツを繰り返し再生させてウェブページ上で表示するよう、表示態様を制御する。
【００７８】
また、表示制御部１４４は、後述する要求部１４６が要求したリクエストによって、動画コンテンツが配信された場合には、部分動画コンテンツに替えて、動画コンテンツを表示するように制御する。
【００７９】
なお、表示制御部１４４は、部分動画コンテンツに替えて動画コンテンツを表示する際には、部分動画コンテンツを選択する操作が検知された時点における部分動画コンテンツの再生位置（表示している画像）に対応する再生位置から、動画コンテンツを再生するよう制御してもよい。具体的には、表示制御部１４４は、部分動画コンテンツに替えて動画コンテンツを表示する場合には、部分動画コンテンツで表示されているフレームを識別し、対応する再生位置で動画コンテンツの再生が開始されるよう、表示を制御する。あるいは、表示制御部１４４は、部分動画コンテンツで表示されていた映像を一部重複するように動画コンテンツの再生位置を調整してもよい。このように、表示制御部１４４は、任意の再生位置から動画コンテンツを再生させるよう制御可能である。
【００８０】
また、表示制御部１４４は、動画コンテンツの再生が終了した場合には、所定のコンテンツを表示してもよい。例えば、表示制御部１４４は、「再び動画コンテンツを視聴する」や、「動画コンテンツで紹介された商品を詳しく見る」などといった文字が描かれたコンテンツを表示する。そして、表示制御部１４４は、ユーザの要求に応じて、それぞれの文字に対応した所定の処理を実行する。例えば、表示制御部１４４は、ユーザが動画コンテンツの再生の繰り返しを要求する場合には、動画コンテンツの再生を開始する。また、表示制御部１４４は、「動画コンテンツで紹介された商品を詳しく見る」等の表示を選択したユーザに対しては、当該動画コンテンツと対応付けられたランディングページへの遷移を促す。そして、表示制御部１４４は、ユーザからランディングページへの遷移を了承する旨を受け付けた場合には、ウェブページをランディングページへと遷移させる処理を実行する。
【００８１】
検知部１４５は、端末装置１００に対する所定の操作を検知する。具体的には、実施形態に係る検知部１４５は、出力部１３０に表示中の部分動画コンテンツを選択する操作を検知する。検知部１４５は、部分動画コンテンツを選択する操作として、部分動画コンテンツをタッチする操作や、部分動画コンテンツをクリックする操作を検知する。そして、検知部１４５は、かかる選択操作が検知されたことを示す情報を要求部１４６に送る。
【００８２】
なお、検知部１４５は、部分動画コンテンツの替わりに動画コンテンツが表示された場合には、動画コンテンツへの所定の操作を検知する。例えば、検知部１４５は、動画コンテンツの再生を一時停止する操作や、動画コンテンツと対応付けられているランディングページに遷移するための操作や、動画コンテンツを繰り返し再生させるための操作など、ユーザの要求に応じた操作を適宜検知する。
【００８３】
要求部１４６は、端末装置１００が実行する処理に用いられる各種情報を要求する。具体的には、実施形態に係る要求部１４６は、検知部１４５によって部分動画コンテンツを選択する操作が検知された場合に、広告配信サーバ２０に対して、部分動画コンテンツに対応する動画コンテンツの配信を要求する。すなわち、要求部１４６は、動画コンテンツの配信要求の命令を生成し、かかる命令を送信部１４１へ送る。送信部１４１は、要求部１４６によって生成された命令（リクエスト）を広告配信サーバ２０に送信する。受付部１４２は、広告配信サーバ２０から動画コンテンツを受け付け、出力制御部１４３へ送る。これにより、要求部１４６が要求した動画コンテンツが、出力部１３０に表示される。
【００８４】
なお、上記の制御部１４０が実行する処理は、例えば、広告コンテンツに含まれる制御情報が、端末装置１００にウェブページを表示させるウェブブラウザ等のソフトウェアの機能を利用することにより実現されてもよい。
【００８５】
〔６−１．配信システムの処理フロー〕
次に、図７を用いて、実施形態に係る配信システム１による配信処理の手順について説明する。図７は、実施形態に係る配信システム１による配信処理手順を示すシーケンス図である。
【００８６】
図７に示すように、端末装置１００は、ユーザ操作に従って、ウェブページの取得要求をコンテンツ配信サーバ３０に送信する（ステップＳ１０１）。そして、コンテンツ配信サーバ３０は、ウェブページの取得要求に応じて、ウェブページを端末装置１００に配信する（ステップＳ１０２）。なお、コンテンツ配信サーバ３０によって配信されるウェブページには、広告配信サーバ２０のＵＲＬ等である広告取得命令が含まれる。
【００８７】
続いて、端末装置１００は、ウェブページに含まれる広告取得命令に基づいて、広告コンテンツの取得要求を広告配信サーバ２０に送信する（ステップＳ１０３）。そして、広告配信サーバ２０は、広告コンテンツの取得要求に応じて、広告コンテンツとして、部分動画コンテンツ（図１の例では、広告コンテンツＣ１０）を端末装置１００に配信する（ステップＳ１０４）。なお、広告配信サーバ２０は、部分動画コンテンツとともに、広告コンテンツの表示を制御する制御情報を端末装置１００に配信してもよい。
【００８８】
そして、端末装置１００は、ウェブページと、ステップＳ１０４において受信した広告コンテンツを表示する表示処理を行う（ステップＳ１０５）。すなわち、端末装置１００は、広告コンテンツとして、部分動画コンテンツを表示するものとする。
【００８９】
そして、端末装置１００は、表示中の広告コンテンツに対する選択操作を検知する（ステップＳ１０６）。端末装置１００は、選択操作を検知すると、表示中の広告コンテンツに対応する広告コンテンツであって、動画によって構成されるコンテンツである動画コンテンツの取得要求を広告配信サーバ２０に送信する（ステップＳ１０７）。
【００９０】
広告配信サーバ２０は、端末装置１００の要求に応じて、動画コンテンツ（図１の例では、広告コンテンツＣ１１）を端末装置１００に配信する（ステップＳ１０８）。そして、端末装置１００は、既に表示していた部分動画コンテンツに替えて、配信された動画コンテンツを表示する表示処理を行う（ステップＳ１０９）。
【００９１】
〔６−２．端末装置の処理フロー〕
次に、図８を用いて、実施形態に係る端末装置１００による処理の手順について説明する。図８は、実施形態に係る端末装置１００による処理手順を示すフローチャートである。
【００９２】
図８に示すように、端末装置１００は、コンテンツ配信サーバ３０から取得したウェブページを表示する（ステップＳ２０１）。そして、端末装置１００は、ウェブページの表示にあたり、ウェブページに含まれる広告表示領域に表示される広告コンテンツとして広告配信サーバ２０から配信された、部分動画コンテンツを表示する（ステップＳ２０２）。
【００９３】
そして、端末装置１００は、ユーザから部分動画コンテンツに対する選択操作を受け付けたか否かを判定する（ステップＳ２０３）。端末装置１００は、選択操作を受け付けていない場合には（ステップＳ２０３；Ｎｏ）、部分動画コンテンツが最後まで再生されたか否かを判定する（ステップＳ２０４）。
【００９４】
端末装置１００は、部分動画コンテンツが最後まで再生されていない場合（ステップＳ２０４；Ｎｏ）、再生を継続するとともに、選択操作の受け付けの判定を継続する（ステップＳ２０３）。一方、部分動画コンテンツが最後まで再生された場合（ステップＳ２０４；Ｙｅｓ）、端末装置１００は、再び、部分動画コンテンツを最初から再生する（ステップＳ２０５）。そして、端末装置１００は、ユーザからの選択操作の受け付けを判定する処理を繰り返し行う（ステップＳ２０３）。
【００９５】
一方、端末装置１００は、部分動画コンテンツへの選択操作を受け付けた場合（ステップＳ２０３；Ｙｅｓ）、部分動画コンテンツに対応する動画コンテンツの配信を要求する（ステップＳ２０６）。そして、端末装置１００は、要求に従い配信された動画コンテンツを取得する（ステップＳ２０７）。端末装置１００は、取得した動画コンテンツを再生する（ステップＳ２０８）。
【００９６】
そして、端末装置１００は、動画コンテンツが最後まで再生されたか否かを判定する（ステップＳ２０９）。最後まで再生されていない場合（ステップＳ２０９；Ｎｏ）、端末装置１００は、再生を継続する。
【００９７】
一方、最後まで再生された場合（ステップＳ２０９；Ｙｅｓ）、端末装置１００は、所定のコンテンツを表示する（ステップＳ２１０）。例えば、端末装置１００は、動画コンテンツをもう一度再生させるといった処理をユーザが選択することのできる選択画面を表示する。そして、端末装置１００は、ユーザの要求に応じた処理を実行する（ステップＳ２１１）。これにより、端末装置１００は、実施形態に係る広告コンテンツの表示処理を終了する。
【００９８】
なお、端末装置１００は、任意のタイミングで、ユーザからウェブページの表示の終了の要求を受け付けてもよい。この場合も、端末装置１００は、実施形態に係る広告コンテンツの表示処理を終了する。
【００９９】
〔７．変形例〕
上述した実施形態に係る処理は、上記実施形態以外にも種々の異なる形態にて実施されてよい。以下では、端末装置１００、広告配信サーバ２０、コンテンツ配信サーバ３０及び配信システム１の他の実施形態について説明する。
【０１００】
〔７−１．生成処理〕
上記実施形態では、広告主から、広告コンテンツとして、動画コンテンツと、動画コンテンツの一部分を含むコンテンツ（例えば、部分動画コンテンツ）との入稿を受け付ける例を示した。ここで、変形例に係る広告配信サーバ２０は、広告コンテンツとして動画コンテンツのみの入稿を受け付け、動画コンテンツの一部分を含むコンテンツについては、新たに生成するようにしてもよい。この点について、図９乃至図１１を用いて説明する。
【０１０１】
図９は、変形例に係る広告配信サーバ２０の構成例を示す図である。図９に示すように、変形例に係る広告配信サーバ２０は、上記実施形態に加えて、生成部２３７を有する。
【０１０２】
（生成部２３７について）
生成部２３７は、広告主から入稿された動画コンテンツ（第１のコンテンツ）に基づいて、部分動画コンテンツ（第２のコンテンツの一例）を生成する。この場合、第１配信部２３４は、生成部２３７によって生成された部分動画コンテンツを第２のコンテンツとして端末装置１００に配信する。
【０１０３】
例えば、生成部２３７は、第１のコンテンツの広告主から指定される対象、又は、第１のコンテンツの宣伝対象に基づいて、第１のコンテンツにおける所定の画像内の一部分を特定して、新たに部分動画コンテンツを生成する。
【０１０４】
具体的には、生成部２３７は、広告主から、部分動画コンテンツを生成するにあたり、所定の画像と、当該画像のうち、動画のように表示する一部分の領域の指定を受け付ける。例えば、図１で示した広告コンテンツＣ１１であれば、生成部２３７は、広告主から指定された、イヤリング５０を含む画像の一部分の領域を特定し、特定した領域のみは動画のように表示され、残りの領域は静止画として表示されるような広告コンテンツＣ１０を生成する。
【０１０５】
また、生成部２３７は、第１のコンテンツの宣伝対象に基づいて所定の画像内の一部分を特定してもよい。例えば、図１で示した広告コンテンツＣ１１であれば、生成部２３７は、広告配信サーバ２０の管理者等から、広告コンテンツＣ１１の宣伝対象がイヤリング５０等の装飾品であるという指定を受け付ける。そして、生成部２３７は、指定されたイヤリング５０等の画像を認識し、数フレームにわたり、認識したイヤリング５０の周辺の領域をクリッピングする。そして、生成部２３７は、イヤリング５０の周辺の領域は動画として表示されるように数フレームをつなぎ、その他の領域は静止画として表示されるように、広告コンテンツＣ１０を生成する。
【０１０６】
また、生成部２３７は、端末装置１００に配信された他の部分動画コンテンツのうち、端末装置１００で選択される確率の高い他の部分動画コンテンツにおける特定の一部分を示す対象に基づいて、所定の画像内の一部分を特定して、新たに部分動画コンテンツを生成するようにしてもよい。
【０１０７】
例えば、生成部２３７は、端末装置１００に配信された他の部分動画コンテンツをサンプルとして参照し、そのうち、ユーザからクリックされる率の高い部分動画コンテンツについて、いずれの箇所を動画としているかを学習する。例えば、生成部２３７は、既知の画像認識手法および学習手法に基づいて、部分動画コンテンツにおける動画の一部分の箇所を学習する。
【０１０８】
一例として、生成部２３７は、画像の被写体が人間であれば、クリック率が高い部分動画コンテンツにおいて、人間の顔のいずれの部分が動画のように表示されているか認識し、その領域に対応する箇所を学習する。例えば、生成部２３７は、人間の顔のうち、目を周辺とする領域が動画のように表示される場合（例えば、人間がまばたきするように表示される画像など）に、クリック率が高くなると学習したとする。この場合、生成部２３７は、新たに部分動画コンテンツを生成するにあたり、動画コンテンツが含む複数のフレームから、人間の顔が含まれるフレーム（すなわち、所定の画像）を抽出する。そして、生成部２３７は、抽出したフレームの前後のフレームであって、目の周辺に動きのある数フレームを抽出するとともに、その他の領域については所定の画像を用いた静止画とすることで、静止画のうち一部に動きのある部分動画コンテンツを生成する。
【０１０９】
また、生成部２３７は、第１のコンテンツの先頭部分の画像の中から、動画として表示される一部分を特定し、特定した一部分以外の箇所は先頭部分の画像を用いるとともに、特定した一部分については先頭部分から所定数の画像をつなぎあわせることにより、新たに部分動画コンテンツを生成するようにしてもよい。すなわち、生成部２３７は、動画コンテンツの先頭の画像をもとに、部分動画コンテンツを生成する。この場合、部分動画コンテンツがクリックされた場合に、端末装置１００において、部分動画コンテンツの画像から、動画コンテンツの再生を滑らかにつなぐことができる。また、一般に、動画コンテンツの先頭の画像は、動画コンテンツの再生を促すような表示になっていることが多いため、先頭の画像を用いて部分動画コンテンツを生成することで、ユーザの選択操作を促す効果も期待できる。
【０１１０】
例えば、図１０に、変形例に係る生成処理の一例を示す。図１０に示すように、生成部２３７は、広告コンテンツＣ１１の先頭のフレームを抽出する。そして、生成部２３７は、例えば広告主から指定された領域である領域６０を特定する。生成部２３７は、数フレームにわたり領域６０のみを抽出し、つなぎあわせる。また、生成部２３７は、領域６０以外の箇所は、先頭のフレームの静止画を利用する。そして、生成部２３７は、それらの画像に基づいて、部分動画コンテンツである広告コンテンツＣ１０を生成する。
【０１１１】
次に、図１１に、変形例に係る広告配信サーバ２０による生成処理手順を示す。図１１は、変形例に係る広告配信サーバ２０による生成処理手順を示すフローチャートである。
【０１１２】
図１１に示すように、入稿受付部２３１は、広告主端末１０から動画コンテンツの入稿を受け付ける（ステップＳ３０１）。生成部２３７は、入稿された動画コンテンツに基づいて、部分動画コンテンツを生成する（ステップＳ３０２）。そして、生成部２３７は、動画コンテンツと、部分動画コンテンツとを一群のコンテンツとして、広告データベース２４に格納する（ステップＳ３０３）。
【０１１３】
例えば、第１配信部２３４は、広告コンテンツの配信要求があった場合には、生成部２３７によって生成された部分動画コンテンツを配信する。また、第２配信部２３６は、端末装置１００において部分動画コンテンツがユーザからクリックされた場合には、生成部２３７によって生成された部分動画コンテンツの元となった動画コンテンツを端末装置１００に配信する。
【０１１４】
〔７−２．コンテンツの種類〕
上記実施形態では、端末装置１００は、一群の広告コンテンツとして、部分動画コンテンツである広告コンテンツＣ１０や、動画コンテンツである広告コンテンツＣ１１等を表示する例を示した。しかし、端末装置１００は、広告に係るコンテンツのみならず、他のコンテンツに対しても、上記表示処理を実行してもよい。
【０１１５】
例えば、端末装置１００は、動画配信サイトにおいて配信される動画コンテンツについて、上述した表示処理を実行してもよい。すなわち、端末装置１００は、動画配信サイトにおいて、ユーザが動画コンテンツの配信を所望した場合に、まず動画コンテンツの一部分を含むコンテンツの配信を受け付ける。そして、端末装置１００は、当該コンテンツが選択された場合に、あらためて本編である動画コンテンツの配信を受け付け、かかる動画コンテンツを表示する。これにより、端末装置１００は、通信負荷を抑えることができる。この場合、広告配信サーバ２０は、広告コンテンツではなく、所定の動画コンテンツを端末装置１００に配信する。
【０１１６】
〔７−３．広告に係るコンテンツ〕
上記実施形態で説明した広告コンテンツＣ１０など、広告に係るコンテンツとは、営利若しくは非営利の広告だけではなく、ボランティアの募集、公共広告、公共に対する通知、広告コンテンツＣ１０に係る情報の一部、その他任意のコンテンツであってもよい。すなわち、広告コンテンツＣ１０は、いわゆる広告関連の情報を含むコンテンツのみならず、ユーザに興味を抱かせ、広告コンテンツＣ１０に含まれる情報、または、広告コンテンツＣ１０と関連するコンテンツ（例えば、ランディングページ等）に含まれる情報を広く報知するものであれば、画像、動画像、文字、図形、記号、ハイパーリンク、その他任意のコンテンツを適用可能である。すなわち、ユーザに対してウェブページよりも興味を生じさせようとするコンテンツであれば、任意のコンテンツを広告コンテンツＣ１０として適用可能である。
【０１１７】
〔７−４．表示処理〕
上記実施形態で説明した配信処理および表示処理は、任意の手法で実現可能である。例えば、上記実施形態では、端末装置１００は、制御情報によって実行される機能をウェブブラウザソフトウェアによって実現する例を示した。しかし、端末装置１００は、ウェブページの表示と、上述した表示処理とを端末装置１００に実行させるアプリケーションをあらかじめダウンロードし、任意のタイミングでアプリケーションを実行することで、上述した処理を実現してもよい。
【０１１８】
〔７−５．制御情報〕
上記実施形態では、広告コンテンツに制御情報が含まれる例を示した。しかし、制御情報は、コンテンツ配信サーバ３０によって配信されるウェブページに含まれていてもよい。すなわち、制御情報は、ウェブページが含む広告枠の表示を制御する命令（スクリプト）として実行されてもよい。
【０１１９】
〔７−６．操作の受け付け〕
端末装置１００で行われる選択操作は、クリックに限られない。すなわち、上記実施形態で示したクリックやタッチ操作は、当該操作に対応した入力デバイスによる操作であってもよい。
【０１２０】
〔７−７．端末装置の操作記録〕
また、上述してきた端末装置１００は、実施形態に係る広告コンテンツが表示されているウェブページに対して、ユーザがどれだけ端末装置１００を操作したかという記録を広告配信サーバ２０に送信してもよい。具体的には、検知部１４５は、広告コンテンツが表示されているウェブページに対してユーザが行うタッチ操作やスクロール操作などのログを記録する。さらに、検知部１４５は、広告コンテンツに対するタッチ操作や、ウェブページをリロードした回数や、広告コンテンツを特定する情報について端末装置１００からの発信操作（例えば、ＳＮＳへの書き込み）など、ユーザが端末装置１００に対して行う種々の操作を記録することもできる。そして、通信部１１０は、検知部１４５により記録された操作履歴に関する情報を広告配信サーバ２０に送信する。
【０１２１】
そして、広告配信サーバ２０は、端末装置１００から配信された端末装置１００の操作履歴に関する情報を受信する。さらに、広告配信サーバ２０は、受信した端末装置１００の操作履歴に関する情報を集計し、かかる情報について分析した情報をさらに取得する。具体的には、広告配信サーバ２０は、単に静止画に係るコンテンツを表示した場合と、部分動画コンテンツとを表示した場合に、ユーザからのクリック率が変化するか否かといった情報を取得する。また、広告配信サーバ２０は、取得した情報を広告主に提示してもよい。これにより、広告配信サーバ２０は、端末装置１００における実施形態に係る配信処理を伴う広告コンテンツの有用性（例えば、広告コンテンツのクリック率が向上したことなど）を広告主に示すことができる。
【０１２２】
〔７−８．広告コンテンツを表示するコンテンツ〕
上記実施形態では、広告コンテンツがウェブページに含まれる広告表示領域に表示される例を示したが、広告コンテンツが表示されるのはウェブページに限られない。例えば、上記してきた広告コンテンツ等は、携帯電話ゲーム等やアプリ画面に表示されてもよい。
【０１２３】
〔７−９．コンテンツの事前配信〕
上記実施形態では、端末装置１００が、部分動画コンテンツがユーザから選択されたことを検知した場合に、動画コンテンツの配信を要求する例を示した。ここで、広告配信サーバ２０は、端末装置１００からの要求に先立って、予め動画コンテンツを配信しておいてもよい。
【０１２４】
例えば、広告配信サーバ２０は、端末装置１００との間の通信環境が所定の条件を満たす場合に、端末装置１００からの要求に先立ち、予め動画コンテンツを端末装置１００に配信する。具体的には、広告配信サーバ２０は、広告配信サーバ２０と端末装置１００との間の通信速度を取得する。そして、広告配信サーバ２０は、端末装置１００との通信速度に応じて、予め動画コンテンツを配信するか否かを判定する。例えば、端末装置１００との通信が比較的通信速度の高い４ＧやＷｉ−Ｆｉ（登録商標）等の通信環境である場合、広告配信サーバ２０は、動画コンテンツを配信することが端末装置１００の通信に大きな負荷を与える可能性が低いと判定し、予め動画コンテンツを配信するものとする。すなわち、広告配信サーバ２０は、端末装置１００との間で所定の閾値以上の通信速度が観測された場合に、予め動画コンテンツを配信する。また、広告配信サーバ２０は、通信速度とともに、動画コンテンツのファイルサイズを取得し、所定の時間以内で動画コンテンツを端末装置１００に配信できると想定される速度が確保できている場合に、予め動画コンテンツを配信するようにしてもよい。
【０１２５】
このように、広告配信サーバ２０は、通信環境に応じて、動画コンテンツを予め配信してもよい。この場合、端末装置１００は、部分動画コンテンツがユーザから選択されたことを検知すると、直ちに動画コンテンツを表示することができるため、ユーザビリティに優れた表示処理を行うことができる。
【０１２６】
また、端末装置１００は、部分動画コンテンツとともに動画コンテンツを配信された場合には、ユーザからの操作に応じて、部分動画コンテンツからシームレスに動画コンテンツを再生する処理を行うようにしてもよい。
【０１２７】
例えば、端末装置１００は、部分動画コンテンツと動画コンテンツとともに、所定の制御情報を広告配信サーバ２０から受け付ける。そして、端末装置１００は、制御情報に従い、部分動画コンテンツを出力部１３０に表示する。さらに、端末装置１００は、表示した部分動画コンテンツが、ユーザから選択される操作を検知する。端末装置１００は、選択される操作が検知された場合に、部分動画コンテンツからつながるように、部分動画コンテンツの静止画に対応する動画コンテンツのフレームを表示して、そのまま動画コンテンツを再生させる。これにより、端末装置１００は、第２配信部２３６による配信処理を要することなく、部分動画コンテンツからシームレスに動画コンテンツを再生させることができる。
【０１２８】
すなわち、端末装置１００は、受付部１４２と、表示制御部１４４と、検知部１４５とを備える。そして、受付部１４２は、動画に係る第１のコンテンツと、第１のコンテンツの一部分のみを含むコンテンツである第２のコンテンツとを受け付ける。表示制御部１４４は、受付部１４２によって受け付けられた第２のコンテンツを繰り返し再生して表示するよう制御する。検知部１４５は、表示制御部１４４によって表示されている第２のコンテンツに対する選択操作を検知する。さらに、表示制御部１４４は、検知部１４５によって第２のコンテンツに対する選択操作が検知された場合に、第２のコンテンツに替えて、第１のコンテンツが再生されるよう制御する。なお、かかる処理は、端末装置１００で実行される制御情報（情報表示プログラム）によって実行されてもよい。
【０１２９】
このように、端末装置１００は、部分動画コンテンツと動画コンテンツとを受け付けておき、部分動画コンテンツを繰り返し再生させるよう表示する。そして、端末装置１００は、ユーザの操作（クリック等）に応じて、部分動画コンテンツに替えて動画コンテンツを再生させる。すなわち、端末装置１００は、初期表示では、大半が静止画である部分動画コンテンツを表示するので、ウェブページの表示を煩雑にすることなく、コンテンツを表示できる。そして、端末装置１００は、ユーザからクリック操作を受け付けた場合には、動画コンテンツを再生させる。これにより、端末装置１００は、配信処理を挟むことなく、直ちに動画コンテンツを表示することができるため、ユーザビリティに優れた表示処理を行うことができる。
【０１３０】
〔７−１０．装置構成〕
また、上記実施形態では、配信システム１に、コンテンツ配信サーバ３０と広告配信サーバ２０とが含まれる例を示したが、コンテンツ配信サーバ３０と広告配信サーバ２０とは１個の装置として形成されてもよい。この場合、図５に示したコンテンツ配信サーバ３０は、例えば、コンテンツ記憶部３２とは別に、広告コンテンツ記憶部を有する。そして、コンテンツ配信サーバ３０は、端末装置１００からウェブページの取得要求を受け付けた場合に、広告コンテンツ記憶部にある広告コンテンツとともに、広告取得命令を含まないウェブページを端末装置１００に配信する。
【０１３１】
また、上記実施形態では、広告配信サーバ２０から端末装置１００に広告コンテンツが配信される例を示したが、コンテンツ配信サーバ３０が、広告配信サーバ２０から広告コンテンツを取得してもよい。この場合、広告配信サーバ２０は、コンテンツ配信サーバ３０から広告コンテンツの取得要求を受け付ける。また、広告配信サーバ２０は、コンテンツ配信サーバ３０に広告コンテンツを配信する。また、コンテンツ配信サーバ３０の配信部３５は、広告配信サーバ２０から取得した広告コンテンツとともに、広告取得命令を含まないウェブページを端末装置１００に配信する。この場合には、コンテンツ配信サーバ３０が、本願に係る配信装置に対応する。
【０１３２】
〔８．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３４】
例えば、図３に示したように、広告配信サーバ２０は、第１配信部２３４と第２配信部２３６とを有する。しかし、かかる構成は、実施形態に係る処理の流れを説明するための概念的なものであり、必ずしも第１配信部２３４と第２配信部２３６とが別々に存在することを要しない。すなわち、広告配信サーバ２０において、第１配信部２３４と第２配信部２３６とは統合されてもよい。
【０１３５】
また、上述してきた実施形態又は変形例は、処理内容を矛盾させない範囲で適宜組み合わせることが可能である。
【０１３６】
〔９．プログラム〕
また、上記してきた実施形態に係る端末装置１００、広告配信サーバ２０およびコンテンツ配信サーバ３０は、例えば、図１２に示すような構成のコンピュータ１０００によって実現される。以下、広告配信サーバ２０を例に挙げて説明する。図１２は、本願に係る配信装置に対応する広告配信サーバ２０の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１３７】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３８】
ＨＤＤ１４００は、ＣＰＵ１１００によって実行されるプログラム、および、係るプログラムによって使用されるデータ等を格納する。通信インターフェイス１５００は、通信網５００（図２のネットワークＮに対応）を介して他の機器からデータを受信してＣＰＵ１１００へ送り、ＣＰＵ１１００が生成したデータを他の機器へ送信する。
【０１３９】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して、生成したデータを出力装置へ出力する。
【０１４０】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４１】
例えば、コンピュータ１０００が実施形態に係る広告配信サーバ２０として機能する場合、コンピュータ１０００のＣＰＵ１１００は、ＲＡＭ１２００上にロードされたプログラムを実行することにより、制御部２３の機能を実現する。また、ＨＤＤ１４００には、記憶部２２内のデータ、例えば広告データベース２４が格納される。コンピュータ１０００のＣＰＵ１１００は、これらのプログラムを記録媒体１８００から読み取って実行するが、他の例として、他の装置からこれらのプログラムを取得してもよい。
【０１４２】
なお、コンピュータ１０００が実施形態に係る端末装置１００として機能する場合、コンピュータ１０００のＣＰＵ１１００は、ＲＡＭ１２００上にロードされたプログラムを実行することにより、制御部１４０の機能を実現する。
【０１４３】
なお、コンピュータ１０００が実施形態に係るコンテンツ配信サーバ３０として機能する場合、コンピュータ１０００のＣＰＵ１１００は、ＲＡＭ１２００上にロードされたプログラムを実行することにより、制御部３３の機能を実現する。また、ＨＤＤ１４００には、コンテンツ記憶部３２内のデータが格納される。
【０１４４】
〔１０．効果〕
上述してきたように、実施形態に係る広告配信サーバ２０は、第１配信部２３４と、受信部２３５と、第２配信部２３６とを有する。第１配信部２３４は、動画に係る第１のコンテンツのうち一部分のみを含むコンテンツである第２のコンテンツを端末装置１００に配信する。受信部２３５は、第１配信部２３４によって配信された第２のコンテンツを繰り返し再生して表示する端末装置１００から、端末装置１００において第２のコンテンツが選択されたことを契機として、所定の配信要求を受信する。第２配信部２３６は、受信部２３５によって受信された所定の配信要求に基づいて、第１のコンテンツを端末装置１００に配信する。
【０１４５】
このように、実施形態に係る広告配信サーバ２０は、動画に係る第１のコンテンツを自動的にウェブページ上で再生させるのではなく、ユーザの選択操作を契機として動画を再生させる。これにより、広告配信サーバ２０は、ユーザに嫌悪感を与えることなく動画コンテンツをユーザに提供することができる。また、広告配信サーバ２０は、第１のコンテンツに替えて、第１のコンテンツのうち一部分のみを含むコンテンツである第２のコンテンツを配信することで、ユーザに動画コンテンツが存在することを認識させることができる。このため、広告配信サーバ２０は、所望するユーザに対しては、第１のコンテンツの動画を提供することができる。広告配信サーバ２０は、ユーザの興味を惹くコンテンツを表示させつつも、動画コンテンツを表示する媒体への影響を抑制することができる。
【０１４６】
また、第１配信部２３４は、第２のコンテンツとして、第１のコンテンツに含まれる所定の画像において、画像内の特定の一部分のみが動画として表示されるコンテンツである部分動画コンテンツを配信する。
【０１４７】
このように、実施形態に係る広告配信サーバ２０は、第２のコンテンツとして、画像内の特定の一部分のみが動画として表示されるコンテンツ（部分動画コンテンツ）を配信する。これにより、広告配信サーバ２０は、静止画のように見えて一部には動きがあるといった特有の表示によってユーザの興味を惹くようなコンテンツを配信することができる。すなわち、広告配信サーバ２０は、媒体の面を汚さないようにしつつ、ユーザに対して訴求効果を発揮するコンテンツを配信できる。
【０１４８】
また、実施形態に係る広告配信サーバ２０は、第１のコンテンツに対応するコンテンツとして、第１のコンテンツとともに部分動画コンテンツの入稿を受け付ける入稿受付部２３１をさらに有する。第１配信部２３４は、入稿受付部２３１によって受け付けられた部分動画コンテンツを第２のコンテンツとして配信する。
【０１４９】
このように、実施形態に係る広告配信サーバ２０は、第１のコンテンツとともに、第２のコンテンツの入稿を提供主（広告主等）から受け付けてもよい。これにより、広告配信サーバ２０は、動画コンテンツのみならず、部分動画コンテンツについても、提供主が所望するコンテンツをユーザに配信することができる。
【０１５０】
また、実施形態に係る広告配信サーバ２０は、第１のコンテンツに基づいて、部分動画コンテンツを生成する生成部２３７をさらに有する。第１配信部２３４は、生成部２３７によって生成された部分動画コンテンツを第２のコンテンツとして配信する。
【０１５１】
このように、実施形態に係る広告配信サーバ２０は、動画コンテンツに基づいて、部分動画コンテンツを生成するようにしてもよい。これにより、広告配信サーバ２０は、動画コンテンツの提供主自らが部分動画コンテンツを生成する手間を省くことができるので、提供主の負担を軽減させることができる。
【０１５２】
また、生成部２３７は、第１のコンテンツの提供主から指定される対象、又は、第１のコンテンツの宣伝対象に基づいて、所定の画像内の一部分を特定して、新たに部分動画コンテンツを生成する。
【０１５３】
このように、実施形態に係る広告配信サーバ２０は、提供主から指定された箇所や第１のコンテンツの宣伝対象によって特定された箇所を、動画のように表示される部分として、部分動画コンテンツを生成することができる。すなわち、広告配信サーバ２０は、提供主がユーザにアピールしたい対象が目立つような部分動画コンテンツを生成できるので、コンテンツの訴求効果を増大させることができる。
【０１５４】
また、生成部２３７は、端末装置１００に配信された他の部分動画コンテンツのうち、端末装置１００で選択される確率の高い他の部分動画コンテンツにおける特定の一部分を示す対象に基づいて、所定の画像内の一部分を特定して、新たに部分動画コンテンツを生成してもよい。
【０１５５】
このように、実施形態に係る広告配信サーバ２０は、所定の学習処理を経て、部分動画コンテンツを生成してもよい。すなわち、広告配信サーバ２０は、多くのユーザがクリックする傾向にある部分動画コンテンツと類似する部分動画コンテンツを生成することで、ユーザからより選択されやすいと想定される部分動画コンテンツを生成することができる。
【０１５６】
また、生成部２３７は、第１のコンテンツの先頭部分の画像の中から、動画として表示される一部分を特定し、特定した一部分以外の箇所は先頭部分の画像を用いるとともに、特定した一部分については先頭部分から所定数の画像をつなぎあわせることにより、新たに部分動画コンテンツを生成してもよい。
【０１５７】
このように、実施形態に係る広告配信サーバ２０は、動画コンテンツの先頭の画像をもとに、部分動画コンテンツを生成するようにしてもよい。これにより、広告配信サーバ２０は、部分動画コンテンツがクリックされた場合に、滑らかに動画コンテンツへの再生がつながるような部分動画コンテンツを生成することができる。
【０１５８】
また、第１配信部２３４は、第２のコンテンツとともに制御情報を端末装置１００に配信する。制御情報は、端末装置１００によって表示されている第２のコンテンツを選択する操作が検知された場合に、広告配信サーバ２０に対して、第１のコンテンツの配信を要求する要求手順と、要求手順による要求に応答した広告配信サーバ２０から配信される第１のコンテンツを、第２のコンテンツに替えて表示する表示制御手順と、を端末装置１００に実行させる。
【０１５９】
このように、実施形態に係る広告配信サーバ２０は、第２のコンテンツとともに制御情報を配信してもよい。そして、端末装置１００は、制御情報に従い、第２のコンテンツを選択されたことを検知したり、検知したことに基づいてリクエストを送信したり、配信された第１のコンテンツを表示したりする処理を実行する。これにより、広告配信サーバ２０は、端末装置１００で第２のコンテンツが選択された場合等に、広告配信サーバ２０が求めるような挙動（リクエスト送信や、動画コンテンツの表示など）を確実に実行させることができる。
【０１６０】
また、表示制御手順は、第２のコンテンツに替えて第１のコンテンツを表示する際には、第２のコンテンツを選択する操作が検知された時点における第２のコンテンツの再生位置に対応する再生位置から、第１のコンテンツを再生するよう制御する。
【０１６１】
このように、実施形態に係る広告配信サーバ２０は、第１のコンテンツを途中から再生させるように制御してもよい。これにより、広告配信サーバ２０は、ユーザが部分動画コンテンツをクリックした時点から継続した映像を視聴させることができるため、ユーザの興味関心に適切に応えることができ、動画コンテンツの持つ訴求効果をより発揮させることができる。
【０１６２】
以上、本願の実施形態を図面に基づいて詳細に説明したが、これは例示であり、発明の開示の欄に記載の態様を始めとして、当業者の知識に基づいて種々の変形、改良を施した他の形態で本発明を実施することが可能である。
【０１６３】
また、上述してきた「部（section、module、unit）」は、「手段」や「回路」などに読み替えることができる。例えば、配信部は、配信手段や配信回路に読み替えることができる。
【符号の説明】
【０１６４】
１  配信システム
１０  広告主端末
２０  広告配信サーバ
２１  通信部
２２  記憶部
２３  制御部
２３１  入稿受付部
２３２  要求受付部
２３３  広告選択部
２３４  第１配信部
２３５  受信部
２３６  第２配信部
２３７  生成部
２４  広告データベース
３０  コンテンツ配信サーバ
３１  通信部
３２  コンテンツ記憶部
３３  制御部
３４  受付部
３５  配信部
１００  端末装置
１１０  通信部
１２０  入力部
１３０  出力部
１４０  制御部
１４１  送信部
１４２  受付部
１４３  出力制御部
１４４  表示制御部
１４５  検知部
１４６  要求部
【図１】
2018022298.tif 000003
【図２】
2018022298.tif 000004
【図３】
2018022298.tif 000005
【図４】
2018022298.tif 000006
【図５】
2018022298.tif 000007
【図６】
2018022298.tif 000008
【図７】
2018022298.tif 000009
【図８】
2018022298.tif 000010
【図９】
2018022298.tif 000011
【図１０】
2018022298.tif 000012
【図１１】
2018022298.tif 000013
【図１２】
2018022298.tif 000014